(57)【要約】      （修正有）【課題】前後逆に着用しても履き心地が変わらず且つ着用時の見た目が良いズボンを提供する。【解決手段】ズボンは、前身頃と、前身頃と同じ形状の後ろ身頃と、を備える。縫い合わされる前の前身頃および後ろ身頃において、股ぐり線２１の下端部である第１点Ｐ１から股ぐり線とヒップラインとの交点である第２点Ｐ２までの横方向の距離に対する、第１点から第２点までの縦方向の距離の比率は、１．０２以上１．１３以下である。【選択図】図４
0003200774.tif 000002
【実用新案登録請求の範囲】
【請求項１】
前身頃と、
前記前身頃と同じ形状の後ろ身頃と、
を備え、
縫い合わされる前の前記前身頃および前記後ろ身頃において、股ぐり線の下端部である第１点から前記股ぐり線とヒップラインとの交点である第２点までの横方向の距離に対する、前記第１点から前記第２点までの縦方向の距離の比率は、１．０２以上１．１３以下であるズボン。
【請求項２】
前記第２点から前記股ぐり線とウエスト線との交点である第３点までの横方向の距離に対する、前記第２点から前記第３点までの縦方向の距離の比率は、３２以上である請求項１に記載のズボン。
【請求項３】
前記前身頃および前記後ろ身頃に跨って設けられたポケットを備え、
前記ポケットは、脇線に重なる位置に２つの開口部を備える請求項１または２に記載のズボン。
【請求項４】
前記ポケットの形状は、脇線に重なる中心線を対称軸とした線対称形状である請求項３に記載のズボン。
【考案の詳細な説明】
【技術分野】
【０００１】
本考案は、ズボンに関する。
【背景技術】
【０００２】
ズボンは、着用時に体の前部分を覆う前身頃と、着用時に体の後ろ部分を覆う後ろ身頃とが縫い合わせられることによって形成されている。人の下半身においては、前部分よりも後ろ部分が突出している。このため、体のラインに沿った形状のズボンを形成するために、従来から後ろ身頃は前身頃とは異なる形状を有している。したがって、仮に人が誤って前後逆の状態でズボンを着用すると、体の前部分を覆う布が弛み、体の後ろ部分を覆う布が張ることになる。これに対して、前身頃および後ろ身頃が同じ形状であるズボンが特許文献１に記載されている。
【先行技術文献】
【特許文献】
【０００３】
【特許文献１】実用新案登録第３１１４０５７号公報
【考案の概要】
【考案が解決しようとする課題】
【０００４】
しかしながら、前身頃および後ろ身頃が同じ形状である場合、前後逆の状態で着用しても履き心地が変わらないものの、体の前部分を覆う布および体の後ろ部分を覆う布の少なくとも一方が弛むまたは張る可能性がある。このため、着用時の見た目が損なわれる可能性がある。
【０００５】
本考案は、上記の課題に鑑みてなされたものであって、前後逆に着用しても履き心地が変わらず且つ着用時の見た目が良いズボンを提供することを目的とする。
【課題を解決するための手段】
【０００６】
上記の目的を達成するため、本考案に係るズボンは、前身頃と、前記前身頃と同じ形状の後ろ身頃と、を備え、縫い合わされる前の前記前身頃および前記後ろ身頃において、股ぐり線の下端部である第１点から前記股ぐり線とヒップラインとの交点である第２点までの横方向の距離に対する、前記第１点から前記第２点までの縦方向の距離の比率は、１．０２以上１．１３以下である。
【０００７】
これにより、後ろ身頃および後ろ身頃の形状が前身頃および前身頃の形状と同じなので、着用する方向に関わらず履き心地が変わらない。さらに、ズボンが着用されると、体の後ろ側に位置する第２点が臀部に接する。これにより、体の後ろ側に位置する股ぐり線が後方に移動する。これと同時に第１点が後方に移動するので、体の前側に位置する股ぐり線が後方および下方に引っ張られる。このため、体の前側に位置する第２点が後方へ移動する。このように、非着用時の第１点および第２点の位置に対して、着用時の第１点および第２点の位置が後方に移動する。したがって、体の前側の弛みおよび体の後ろ側の張りが抑制される。このため、ズボンは、着用時の見た目を損なわない。よって、ズボンは、前後逆に着用しても履き心地が変わらず且つ着用時の見た目が良い。
【０００８】
本考案の望ましい態様として、前記第２点から前記股ぐり線とウエスト線との交点である第３点までの横方向の距離に対する、前記第２点から前記第３点までの縦方向の距離の比率は、３２以上であることが好ましい。
【０００９】
これにより、股ぐり線のうちヒップラインよりも上側の部分が地の目線に対してなす角度が小さくなる。このため、着用時において、体の前側に位置する股ぐり線と体との間に生じる隙間が小さくなりやすい。このため、体の前側の弛みが生じにくいので、ズボンの着用時の見た目が良くなる。
【００１０】
本考案の望ましい態様として、前記前身頃および前記後ろ身頃に跨って設けられたポケットを備え、前記ポケットは、脇線に重なる位置に２つの開口部を備えることが好ましい。
【００１１】
これにより、着用する方向に関わらず、着用時のポケットの開口部の位置が変わらない。すなわち、前身頃および前身頃を前側として着用したときと比較して、後ろ身頃および後ろ身頃を前側として着用したときのポケットの開口部の位置が同じである。このため、ズボンは、前後逆に着用しても履き心地が変わらないことに加えて、ポケットの使い心地が良くなる。
【００１２】
本考案の望ましい態様として、前記ポケットの形状は、脇線に重なる中心線を対称軸とした線対称形状であることが好ましい。
【００１３】
これにより、ポケットは、脇線を挟んで配置され且つ同じ形状である第１収納部および第２収納部を備えることができる。このため、第１収納部が前側ポケットとして使用され且つ第２収納部が後ろ側ポケットとして使用されたときの使い心地と、第１収納部が後ろ側ポケットとして使用され且つ第２収納部が前側ポケットとして使用されたときの使い心地が同じとなる。このため、ポケットの使い心地がさらに良くなる。
【考案の効果】
【００１４】
本考案によれば、前後逆に着用しても履き心地が変わらず且つ着用時の見た目が良いズボンを提供することができる。
【図面の簡単な説明】
【００１５】
【図１】図１は、本実施形態に係るズボンを正面側から見た斜視図である。
【図２】図２は、本実施形態に係るズボンの側面図である。
【図３】図３は、本実施形態に係るズボンの身頃を示す正面図である。
【図４】図４は、本実施形態に係るズボンの身頃を、縫い代を省略して示す正面図である。
【図５】図５は、着用時における本実施形態に係るズボンを股ぐり線で切った断面図である。
【図６】図６は、本実施形態に係るズボンのポケットを示す正面図である。
【図７】図７は、本実施形態に係るズボンのポケットを示す背面図である。
【考案を実施するための形態】
【００１６】
本考案を実施するための形態（実施形態）につき、図面を参照しつつ詳細に説明する。以下の実施形態に記載した内容により本考案が限定されるものではない。また、以下に記載した構成要素には、当業者が容易に想定できるもの、実質的に同一のものが含まれる。さらに、以下に記載した構成要素は適宜組み合わせることが可能である。
【００１７】
（実施形態）
図１は、本実施形態に係るズボンを正面側から見た斜視図である。図２は、本実施形態に係るズボンの側面図である。例えば、本実施形態に係るズボン１は、成人用のズボンである。より具体的には、ズボン１は、例えば要介護者用のズボンとして用いられる。ズボン１は多様なサイズで製造されるが、以下の説明において例に挙げられるのは代表としてＭサイズである。
【００１８】
図１に示すように、ズボン１は、前身頃２ａと、後ろ身頃２ｂと、前身頃２ｃと、後ろ身頃２ｄと、ウエストゴム３と、ポケット４と、を備える。前身頃２ａ、後ろ身頃２ｂ、前身頃２ｃおよび後ろ身頃２ｄが縫い合わされることによりズボン１が形成されている。前身頃２ａ、後ろ身頃２ｂ、前身頃２ｃおよび後ろ身頃２ｄは、同じ形状の布である。以下の説明においては、前身頃２ａ、後ろ身頃２ｂ、前身頃２ｃおよび後ろ身頃２ｄのうち１つを代表して説明する場合、身頃２と記載する。また、人がズボン１を着用したときにウエストに対応する部分を上側とし、足元に対応する側を下側として説明する。
【００１９】
ウエストゴム３は、ズボン１の上端部に伸縮性を付与するために設けられている。ウエストゴム３は、ズボン１の上端部の全周に亘って配置されている。例えば、非着用時におけるズボン１の上端部の内周は、ウエストゴム３により約６２．０ｃｍとなる。すなわち、ズボン１において、いわゆるゴム上がり寸法が約６２．０ｃｍである。ウエストゴム３が伸ばされることによりズボン１の上端部の内周が大きくなるので、ズボン１は容易に着用することができる。また、着用後においては、ウエストゴム３により着用者のウエストが締め付けられるので、ズボン１が着用者のウエストに位置決めされる。
【００２０】
図１に示すように、ポケット４は２つ設けられている。図２に示すように、一方のポケット４は、前身頃２ａおよび後ろ身頃２ｂに跨る位置に設けられている。他方のポケット４は、前身頃２ｃおよび後ろ身頃２ｄに跨る位置に設けられている。
【００２１】
図３は、本実施形態に係るズボンの身頃を示す正面図である。図４は、本実施形態に係るズボンの身頃を、縫い代を省略して示す正面図である。図３および図４は、他の身頃２と縫い合わせられる前の状態での身頃２を示す。
【００２２】
身頃２は、例えば綿等の布を裁断することにより形成される。図３に示すように、身頃２は、縫い代２０１と、縫い代２０２と、縫い代２０３と、縫い代２０４と、縫い代２０５と、を有する。縫い代２０１は、股ぐり線２１に対応する縫い代である。縫い代２０２は、内股線２２に対応する縫い代である。縫い代２０３は、脇線２３に対応する縫い代である。縫い代２０４は、上端線２４に対応する縫い代である。縫い代２０５は、裾線２５に対応する縫い代である。縫い代２０１、縫い代２０２、縫い代２０３、縫い代２０４および縫い代２０５の端部には、例えばロックミシンがかけられる。
【００２３】
前身頃２ａの縫い代２０１は、前身頃２ｃの縫い代２０１と縫い合わされる。前身頃２ａの縫い代２０２は、後ろ身頃２ｂの縫い代２０２と縫い合わされる。前身頃２ａの縫い代２０３は、後ろ身頃２ｂの縫い代２０３と縫い合わされる。また、後ろ身頃２ｂの縫い代２０１は、後ろ身頃２ｄの縫い代２０１と縫い合わされる。また、前身頃２ｃの縫い代２０３は、後ろ身頃２ｄの縫い代２０３と縫い合わされる。縫い合わされた後の縫い代２０１には、例えば片返し始末が施される。縫い合わされた後の縫い代２０２および縫い代２０３には、例えば割り始末が施される。
【００２４】
図４に示すように、身頃２は、上端部に直線状の上端線２４を有し、下端部に上端線２４に平行な直線状の裾線２５を有する。また、上端線２４から３．５ｃｍ下側に、上端線２４に平行なウエスト線Ｌ４が位置している。例えば、上端線２４およびウエスト線Ｌ４の長さは２５．３ｃｍであり、裾線２５の長さは２１．０ｃｍである。上端線２４および裾線２５の一端同士は、脇線２３で結ばれている。上端線２４および裾線２５の他端同士は、股ぐり線２１および内股線２２によって結ばれている。ウエスト線Ｌ４、脇線２３および股ぐり線２１によって、股上部２８が形成されている。裾線２５、脇線２３および内股線２２によって、股下部２９が形成されている。また、上端線２４、ウエスト線Ｌ４、股ぐり線２１および脇線２３によって、長方形状のゴム取付部２７が形成されている。言い換えると、ウエスト線Ｌ４は、ゴム取付部２７の下端部に位置する線分である。ズボン１において、ゴム取付部２７に対応する位置にウエストゴム３が取り付けられる。
【００２５】
股ぐり線２１は、下股ぐり線２１１と、上股ぐり線２１２と、を含む。下股ぐり線２１１は、股ぐり線２１の下端部に位置する第１点Ｐ１と、股ぐり線２１とヒップラインＬ３との交点である第２点Ｐ２と、を結ぶ線である。上股ぐり線２１２は、第２点Ｐ２とウエスト線Ｌ４の端点である第３点Ｐ３と、を結ぶ線分である。また、股ぐり線２１のうち第３点Ｐ３よりも上側の部分は、ウエスト線Ｌ４に対して直交している。
【００２６】
図４に示すように、地の目線Ｌ１は、裾線２５に対して直交し且つ上端線２４および裾線２５を結ぶ線分である。渡り線Ｌ２は、地の目線Ｌ１に対して直交し且つ第１点Ｐ１および脇線２３を結ぶ線分である。以下の説明において、地の目線Ｌ１に沿う方向は縦方向と記載され、渡り線Ｌ２に沿う方向は横方向と記載される。また、ヒップラインＬ３は、身頃２同士が縫い合わされた状態で、股上部２８によって形成される筒のうち内周が最大となる位置において股ぐり線２１および脇線２３を結ぶ横方向の線分である。言い換えると、ヒップラインＬ３は、臀部のうち最も突出した部分に対応する。
【００２７】
このため、第１点Ｐ１は、渡り線Ｌ２と股ぐり線２１との交点であるともいえる。さらに、第１点Ｐ１は、渡り線Ｌ２と内股線２２との交点であるともいえる。また、第３点Ｐ３は、股ぐり線２１とウエスト線Ｌ４との交点であるともいえる。
【００２８】
本実施形態に係るズボン１の身頃２において、例えば、地の目線Ｌ１の長さは約８２ｃｍである。渡り線Ｌ２の長さは約３３ｃｍである。ヒップラインＬ３の長さは約２５．３ｃｍであって、ウエスト線Ｌ４の長さに等しい。より詳しくは、脇線２３のうちヒップラインＬ３よりも上側に位置する上脇線２３２の形状は、上股ぐり線２１２の形状と同じである。また、渡り線Ｌ２からウエスト線Ｌ４までの縦方向の距離は約２５．５ｃｍである。すなわち、ズボン１の股上の長さは約２５．５ｃｍである。また、渡り線Ｌ２から裾線２５までの縦方向の距離は約５３．０ｃｍである。すなわち、ズボン１の股下の長さは約５３．０ｃｍである。
【００２９】
また、第１点Ｐ１から第２点Ｐ２までの横方向の距離Ｄ１は、約８．２ｃｍである。第１点Ｐ１から第２点Ｐ２までの縦方向の距離Ｄ２（渡り線Ｌ２からヒップラインＬ３までの距離）は、約９．２ｃｍである。このため、距離Ｄ１に対する距離Ｄ２の比率（距離Ｄ２／距離Ｄ１）は、１．１２以上１．１３以下である。また、第２点Ｐ２から第３点Ｐ３までの横方向の距離Ｄ３は、約０．５ｃｍである。第２点Ｐ２から第３点Ｐ３までの縦方向の距離Ｄ４は、約１６．３ｃｍである。このため、距離Ｄ３に対する距離Ｄ４の比率（距離Ｄ４／距離Ｄ３）は、３２以上３３以下である。
【００３０】
図５は、着用時における本実施形態に係るズボンを股ぐり線で切った断面図である。図５においては、股ぐり線２１以外の線は省略されている。図５中の実線が着用時の股ぐり線２１を示し、二点鎖線が着用前の股ぐり線２１を示す。また、図５中の左側が体の前側であり、図５中の右側が体の後ろ側である。図５は、体の前側に前身頃２ａおよび前身頃２ｃが位置し、体の後ろ側に後ろ身頃２ｂおよび後ろ身頃２ｄが位置する場合を示す。なお、前後逆に着用した場合、すなわち体の前側に後ろ身頃２ｂおよび後ろ身頃２ｄが位置し、体の後ろ側に前身頃２ａおよび前身頃２ｃが位置する場合であっても、同じ説明が適用できる。
【００３１】
図５に示すように、ズボン１が着用されると、距離Ｄ１に対する距離Ｄ２の比率（距離Ｄ２／距離Ｄ１）が１．１２以上１．１３以下であることにより、後ろ身頃２ｂおよび後ろ身頃２ｄの第２点Ｐ２が臀部に接する。これにより、後ろ身頃２ｂおよび後ろ身頃２ｄの股ぐり線２１が後方に移動する。これと同時に第１点Ｐ１が後方に移動するので、前身頃２ａおよび前身頃２ｃの股ぐり線２１が後方および下方に引っ張られる。このため、前身頃２ａおよび前身頃２ｃの第２点Ｐ２が後方へ移動する。このように、非着用時の第１点Ｐ１および第２点Ｐ２の位置に対して、着用時の第１点Ｐ１および第２点Ｐ２の位置が後方に移動する。したがって、図５に示すように、体の前側の弛みおよび体の後ろ側の張りが抑制される。このため、ズボン１は、着用時の見た目を損なわない。
【００３２】
また、距離Ｄ３に対する距離Ｄ４の比率（距離Ｄ４／距離Ｄ３）が３２以上３３以下であることにより、図４に示すように、地の目線Ｌ１に対して上股ぐり線２１２がなす角度が小さくなる。例えば、上股ぐり線２１２が地の目線Ｌ１に対してなす角度は、約２°である。これにより、着用時において、前身頃２ａおよび前身頃２ｃの股ぐり線２１と体との間に生じる隙間が小さくなりやすい。このため、体の前側の弛みが生じにくいので、ズボン１の着用時の見た目が良くなる。
【００３３】
図６は、本実施形態に係るズボンのポケットを示す正面図である。図７は、本実施形態に係るズボンのポケットを示す背面図である。図６は、ズボン１の外側から見たポケット４を示す。すなわち、図６は、図２に示すポケット４を拡大した図である。図７は、ズボンの内側から見たポケット４を示す。
【００３４】
図６および図７に示すように、ポケット４は、袋布４１と、袋布４２と、袋布４３と、向う布４４と、を備える。袋布４１、袋布４２、袋布４３および向う布４４が縫い合わされることによりポケット４が形成されている。ポケット４は、中心線Ｃを対称軸とした線対称形状である。ポケット４が身頃２に縫い合わせられた状態において、中心線Ｃは脇線２３に重なる。
【００３５】
袋布４１および袋布４２は、同じ形状の布であって、例えばスレキである。袋布４２は、中心線Ｃを挟んで袋布４１に隣接して配置されている。袋布４１および袋布４２は、中心線Ｃを対称軸として線対称に配置されている。袋布４３は、袋布４１および袋布４２を合わせた形状と同じ形状の布であって、例えばスレキである。袋布４３の外縁は、袋布４１および袋布４２に縫い合わせられている。向う布４４は、長方形状であって、身頃２と同じ布で形成されている。向う布４４は、袋布４３に縫い合わせられており、短辺の中点が中心線Ｃに重なるように配置されている。向う布４４の半分は、袋布４１と袋布４３とに挟まれており、向う布４４のもう半分は、袋布４２と袋布４３とに挟まれている。すなわち、ズボン１の外側から、袋布４１および袋布４２、向う布４４、袋布４３の順に配置されている。
【００３６】
図６に示すように、ポケット４は、袋布４１と向う布４４とが重なる位置に開口部４５を有し、袋布４２と向う布４４とが重なる位置に開口部４６を有する。開口部４５および開口部４６は、中心線Ｃに重なる位置すなわち脇線２３に重なる位置に配置されている。開口部４５は、人の手が入る大きさを有する開口部であり、袋布４１と袋布４３とで囲まれる第１収納部Ｓ１に繋がっている。開口部４６は、開口部４５と同じ大きさの開口部であり、袋布４２と袋布４３とで囲まれる第２収納部Ｓ２に繋がっている。
【００３７】
これにより、第１収納部Ｓ１または第２収納部Ｓ２へ物を収納することおよび収納した物を取り出すことが可能となっている。さらに、開口部４５および開口部４６が同じ位置にあり、且つ第１収納部Ｓ１および第２収納部Ｓ２が同じ形状である。これにより、仮にズボン１が前後逆に着用された場合であっても、ポケット４の配置は、ズボン１が正常に着用されたときと同じである。第１収納部Ｓ１が前側ポケットとして使用され且つ第２収納部Ｓ２が後ろ側ポケットとして使用されたときの使い心地と、第１収納部Ｓ１が後ろ側ポケットとして使用され且つ第２収納部Ｓ２が前側ポケットとして使用されたときの使い心地が同じである。
【００３８】
また、開口部４５および開口部４６に重なる位置に向う布４４が配置されていることにより、開口部４５および開口部４６が開かれたときにはスレキである袋布４１および袋布４２は見えにくい。また、開口部４５および開口部４６が開かれたときに見えやすい向う布４４は身頃２と同じ布であるので、仮に向う布４４が露出したとしても、ズボン１の見た目は損なわれにくい。
【００３９】
なお、ズボン１は、必ずしも成人用のズボンでなくてもよく、例えば子供用のズボンであってもよい。また、ズボン１は、必ずしも要介護者用のズボンとして用いられるとは限らず、健常者用のズボンとしても用いられる。
【００４０】
なお、ズボン１は、上述したＭサイズの他に、例えばＬサイズ、２Ｌサイズおよび３Ｌサイズが製造される。例えば、Ｌサイズ、２Ｌサイズおよび３Ｌサイズは、Ｍサイズに対して、渡り線Ｌ２から裾線２５までの距離（股下の長さ）は同じである一方、ウエスト線Ｌ４の長さ等が異なる。
【００４１】
Ｌサイズにおいて、地の目線Ｌ１の長さは約８２．５ｃｍである。渡り線Ｌ２の長さは約３４．５ｃｍである。ヒップラインＬ３の長さは約２６．５ｃｍであって、ウエスト線Ｌ４の長さに等しい。渡り線Ｌ２からウエスト線Ｌ４までの縦方向の距離は約２６ｃｍである。すなわち、股上の長さは約２６ｃｍである。また、渡り線Ｌ２から裾線２５までの縦方向の距離は約５３．０ｃｍである。すなわち、股下の長さは約５３．０ｃｍである。また、ゴム上がり寸法は約６７．０ｃｍである。
【００４２】
また、Ｌサイズにおいて、第１点Ｐ１から第２点Ｐ２までの横方向の距離Ｄ１は、約８．４ｃｍである。第１点Ｐ１から第２点Ｐ２までの縦方向の距離Ｄ２は、約９．２ｃｍである。このため、距離Ｄ１に対する距離Ｄ２の比率（距離Ｄ２／距離Ｄ１）は、１．０９以上１．１０以下である。また、第２点Ｐ２から第３点Ｐ３までの横方向の距離Ｄ３は、約０．５ｃｍである。第２点Ｐ２から第３点Ｐ３までの縦方向の距離Ｄ４は、約１６．８ｃｍである。このため、距離Ｄ３に対する距離Ｄ４の比率（距離Ｄ４／距離Ｄ３）は、３３以上３４以下である。
【００４３】
２Ｌサイズにおいて、地の目線Ｌ１の長さは約８３．０ｃｍである。渡り線Ｌ２の長さは約３６．０ｃｍである。ヒップラインＬ３の長さは約２７．８ｃｍであって、ウエスト線Ｌ４の長さに等しい。渡り線Ｌ２からウエスト線Ｌ４までの縦方向の距離は約２６．５ｃｍである。すなわち、股上の長さは約２６．５ｃｍである。また、渡り線Ｌ２から裾線２５までの縦方向の距離は約５３．０ｃｍである。すなわち、股下の長さは約５３．０ｃｍである。また、ゴム上がり寸法は約７４．０ｃｍである。
【００４４】
また、２Ｌサイズにおいて、第１点Ｐ１から第２点Ｐ２までの横方向の距離Ｄ１は、約８．７ｃｍである。第１点Ｐ１から第２点Ｐ２までの縦方向の距離Ｄ２は、約９．２ｃｍである。このため、距離Ｄ１に対する距離Ｄ２の比率（距離Ｄ２／距離Ｄ１）は、１．０５以上１．０６以下である。また、第２点Ｐ２から第３点Ｐ３までの横方向の距離Ｄ３は、約０．５ｃｍである。第２点Ｐ２から第３点Ｐ３までの縦方向の距離Ｄ４は、約１７．３ｃｍである。このため、距離Ｄ３に対する距離Ｄ４の比率（距離Ｄ４／距離Ｄ３）は、３４以上３５以下である。
【００４５】
３Ｌサイズにおいて、地の目線Ｌ１の長さは約８３．５ｃｍである。渡り線Ｌ２の長さは約３７．５ｃｍである。ヒップラインＬ３の長さは約２９．１ｃｍであって、ウエスト線Ｌ４の長さに等しい。渡り線Ｌ２からウエスト線Ｌ４までの縦方向の距離は約２７ｃｍである。すなわち、股上の長さは約２７ｃｍである。また、渡り線Ｌ２から裾線２５までの縦方向の距離は約５３．０ｃｍである。すなわち、股下の長さは約５３．０ｃｍである。また、ゴム上がり寸法は約８２．０ｃｍである。
【００４６】
また、３Ｌサイズにおいて、第１点Ｐ１から第２点Ｐ２までの横方向の距離Ｄ１は、約９．０ｃｍである。第１点Ｐ１から第２点Ｐ２までの縦方向の距離Ｄ２は、約９．２ｃｍである。このため、距離Ｄ１に対する距離Ｄ２の比率（距離Ｄ２／距離Ｄ１）は、１．０２以上１．０３以下である。また、第２点Ｐ２から第３点Ｐ３までの横方向の距離Ｄ３は、約０．５ｃｍである。第２点Ｐ２から第３点Ｐ３までの縦方向の距離Ｄ４は、約１７．８ｃｍである。このため、距離Ｄ３に対する距離Ｄ４の比率（距離Ｄ４／距離Ｄ３）は、３５以上３６以下である。
【００４７】
なお、身頃２における距離Ｄ１に対する距離Ｄ２の比率（距離Ｄ２／距離Ｄ１）は、必ずしも上述したように１．１２以上１．１３以下、１．０９以上１．１０以下、１．０５以上１．０６以下または１．０２以上１．０３以下でなくてもよい。距離Ｄ１に対する距離Ｄ２の比率（距離Ｄ２／距離Ｄ１）は、１．０２以上１．１３以下であればよい。この比率は、例えば子供用のズボンにおいても適用できる。より具体的には、成人用であるズボン１においては距離Ｄ１が８．２ｃｍ以上９．０ｃｍ以下であればよい。これにより、体の前側の弛みおよび体の後ろ側の張りが抑制される。
【００４８】
なお、身頃２における距離Ｄ３に対する距離Ｄ４の比率（距離Ｄ４／距離Ｄ３）は、必ずしも上述したように３２以上３３以下、３３以上３４以下、３４以上３５以下または３５以上３６以下でなくてもよい。距離Ｄ３に対する距離Ｄ４の比率（距離Ｄ４／距離Ｄ３）は、３２以上であればよい。これにより、体の前側の弛みが生じにくいので、ズボン１の着用時の見た目が良くなる。
【００４９】
以上で説明したように、ズボン１は、前身頃２ａおよび前身頃２ｃと、前身頃２ａおよび前身頃２ｃと同じ形状の後ろ身頃２ｂおよび後ろ身頃２ｄと、を備える。縫い合わされる前の前身頃２ａ、前身頃２ｃ、後ろ身頃２ｂおよび後ろ身頃２ｄにおいて、股ぐり線２１の下端部である第１点Ｐ１から股ぐり線２１とヒップラインＬ３との交点である第２点Ｐ２までの横方向の距離Ｄ１に対する、第１点Ｐ１から第２点Ｐ２までの縦方向の距離Ｄ２の比率は、１．０２以上１．１３以下である。
【００５０】
これにより、後ろ身頃２ｂおよび後ろ身頃２ｄの形状が前身頃２ａおよび前身頃２ｃの形状と同じなので、着用する方向に関わらず履き心地が変わらない。さらに、ズボン１が着用されると、体の後ろ側に位置する第２点Ｐ２が臀部に接する。これにより、体の後ろ側に位置する股ぐり線２１が後方に移動する。これと同時に第１点Ｐ１が後方に移動するので、体の前側に位置する股ぐり線２１が後方および下方に引っ張られる。このため、体の前側に位置する第２点Ｐ２が後方へ移動する。このように、非着用時の第１点Ｐ１および第２点Ｐ２の位置に対して、着用時の第１点Ｐ１および第２点Ｐ２の位置が後方に移動する。したがって、体の前側の弛みおよび体の後ろ側の張りが抑制される。このため、ズボン１は、着用時の見た目を損なわない。よって、ズボン１は、前後逆に着用しても履き心地が変わらず且つ着用時の見た目が良い。
【００５１】
また、従来のズボンは、異なる形状の前身頃および後ろ身頃が縫い合わされて製造されているのに対して、ズボン１は、同形状の身頃２が縫い合わされて製造される。このため、ズボン１においては、従来のズボンと比較して必要となる型紙の数が低減するので、製造効率が向上する。
【００５２】
また、特にズボン１が要介護者用のズボンとして用いられるとき、介護者は方向を気にすることなくズボン１を要介護者に着用させることができる。このため、ズボン１は、介護者の負担を軽減することができる。
【００５３】
また、ズボン１において、第２点Ｐ２から股ぐり線２１とウエスト線Ｌ４との交点である第３点Ｐ３までの横方向の距離Ｄ３に対する、第２点Ｐ２から第３点Ｐ３までの縦方向の距離Ｄ４の比率は、３２以上である。
【００５４】
これにより、地の目線Ｌ１に対して上股ぐり線２１２がなす角度が小さくなる。このため、着用時において、体の前側に位置する股ぐり線２１と体との間に生じる隙間が小さくなりやすい。このため、体の前側の弛みが生じにくいので、ズボン１の着用時の見た目が良くなる。
【００５５】
また、ズボン１は、前身頃２ａおよび後ろ身頃２ｂに跨って設けられたポケット４、および前身頃２ｃおよび後ろ身頃２ｄに跨って設けられたポケット４を備える。ポケット４は、脇線２３に重なる位置に２つの開口部４５および開口部４６を備える。
【００５６】
これにより、着用する方向に関わらず、着用時のポケット４の開口部の位置が変わらない。すなわち、前身頃２ａおよび前身頃２ｃを前側として着用したときと比較して、後ろ身頃２ｂおよび後ろ身頃２ｄを前側として着用したときのポケット４の開口部の位置が同じである。このため、ズボン１は、前後逆に着用しても履き心地が変わらないことに加えて、ポケット４の使い心地が良くなる。
【００５７】
また、前後左右の４箇所にポケットを設ける場合、従来のズボンにおいて４つのポケットが必要となるのに対して、ズボン１においては２つでよい。ズボン１においては、従来のズボンと比較してポケット４を縫い付ける工程数が低減するので、製造効率が向上する。
【００５８】
また、ズボン１において、ポケット４の形状は、脇線２３に重なる中心線Ｃを対称軸とした線対称形状である。
【００５９】
これにより、ポケット４は、脇線２３を挟んで配置され且つ同じ形状である第１収納部Ｓ１および第２収納部Ｓ２を備えることができる。このため、第１収納部Ｓ１が前側ポケットとして使用され且つ第２収納部Ｓ２が後ろ側ポケットとして使用されたときの使い心地と、第１収納部Ｓ１が後ろ側ポケットとして使用され且つ第２収納部Ｓ２が前側ポケットとして使用されたときの使い心地が同じとなる。このため、ポケット４の使い心地がさらに良くなる。
【符号の説明】
【００６０】
１  ズボン
２  身頃
２ａ、２ｃ  前身頃
２ｂ、２ｄ  後ろ身頃
２０１、２０２、２０３、２０４、２０５  縫い代
２１  股ぐり線
２１１  下股ぐり線
２１２  上股ぐり線
２２  内股線
２３  脇線
２３２  上脇線
２４  上端線
２５  裾線
２７  ゴム取付部
２８  股上部
２９  股下部
３  ウエストゴム
４  ポケット
４１、４２、４３  袋布
４４  向う布
４５、４６  開口部
Ｃ  中心線
Ｌ１  地の目線
Ｌ２  渡り線
Ｌ３  ヒップライン
Ｌ４  ウエスト線
Ｐ１  第１点
Ｐ２  第２点
Ｐ３  第３点
Ｓ１  第１収納部
Ｓ２  第２収納部
【図１】
0003200774.tif 000003
【図２】
0003200774.tif 000004
【図３】
0003200774.tif 000005
【図４】
0003200774.tif 000006
【図５】
0003200774.tif 000007
【図６】
0003200774.tif 000008
【図７】
0003200774.tif 000009